(57)【要約】【課題】この発明の課題は、光ディスクに録画されているコンテンツが意図する音声を提供することである。【解決手段】  既定のチャンネル数出力の音声データの音声パケットを取得する受信手段と、ダウンミックス係数情報を取得するダウンミックス情報受信手段と、前記音声パケットに対して前記ダウンミックス係数情報を用いてダウンミックス処理をするか否かを判断する制御手段と、前記制御手段が前記音声パケットに対してダウンミックス処理をすると判断した場合、前記音声パケットを前記ダウンミックス係数情報に基づいて、ダウンミックス処理をする音声処理手段と、前記音声処理手段でダウンミックス処理された音声データをスピーカ接続端子へ出力する音声出力手段を有する。【選択図】      図３
2008252834.tif 000002
【特許請求の範囲】
【請求項１】
既定のチャンネル数出力の音声データの音声パケットを取得する受信手段と、
ダウンミックス係数情報を取得するダウンミックス情報受信手段と、
前記音声パケットに対して前記ダウンミックス係数情報を用いてダウンミックス処理をするか否かを判断する制御手段と、
前記制御手段が前記音声パケットに対してダウンミックス処理をすると判断した場合、前記音声パケットを前記ダウンミックス係数情報に基づいて、ダウンミックス処理をする音声処理手段と、
前記音声処理手段でダウンミックス処理された音声データをスピーカ接続端子へ出力する音声出力手段と、
を有することを特徴とする音声再生装置。
【請求項２】
さらに前記ダウンミックス刑す情報を外部に送信するためのダウンミック情報送信手段を有することを特徴とする請求項１記載の音声再生装置。
【請求項３】
前記制御手段は、前記音声出力手段に接続される前記スピーカのチャンネル数と前記受信手段が取得した前記音声パケットに含まれる音声データの既定のチャンネル数とが同じ場合、ダウンミックス処理をしないと判断し、前記出力手段に接続される前記スピーカのチャンネル数が前記受信手段が取得した前記音声パケットに含まれる音声データの既定のチャンネル数より少ない場合、ダウンミックス処理をすると判断することを特徴とする請求項１記載の音声再生装置。
【請求項４】
前記受信手段は、ＨＤＭＩで接続された外部機器からＨＤＭＩケーブルを介してＨＤＭＩパケット及びＨＤＭＩの拡張パケットを受信し、
前記音声処理部は、前記ＨＤＭＩパケットで送られてきた既定のチャンネル数出力の音声データを含む音声パケットを処理し、
前記ダウンミックス情報受信手段は、前記ＨＤＭＩの拡張パケットからダウンミックス係数情報を取得することを特徴とする請求項２記載の音声再生装置。
【請求項５】
前記受信手段は、ＨＤＭＩで接続された外部機器からＨＤＭＩケーブルを介してＨＤＭＩパケット及びＨＤＭＩの拡張パケットを受信し、
前記音声処理部は、前記ＨＤＭＩパケットで送られてきた既定のチャンネル数出力の音声データを含む音声パケットを処理し、
前記ダウンミックス情報受信手段は、ＣＥＣラインを介して送られてきたダウンミックス係数情報を取得することを特徴とする請求項２記載の音声再生装置。
【請求項６】
前記受信手段は、ＨＤＭＩで接続された外部機器からＨＤＭＩケーブルを介してＨＤＭＩパケットを受信し、
前記音声処理部は、前記ＨＤＭＩパケットで送られてきた既定のチャンネル数出力の音声データを含む音声パケットを処理し、
前記ダウンミックス情報受信手段は、前記ＨＤＭＩパケットで送られてきた映像データのブランキング期間に多重されているダウンミックス係数情報を取得することを特徴とする請求項２記載の音声再生装置。
【請求項７】
前記受信手段は、ＨＤＭＩで接続された外部機器からＨＤＭＩケーブルを介してＨＤＭＩパケットを受信し、
前記音声処理部は、前記ＨＤＭＩパケットで送られてきた既定のチャンネル数出力の音声データを含む音声パケットを処理し、
前記ダウンミックス情報受信手段は、ＨＤＭＩ規格のラインとは異なる制御信号線を介して送られてきたダウンミックス係数情報を取得することを特徴とする請求項２記載の音声再生装置。
【請求項８】
受信手段、音声処理手段、音声出力手段、制御手段とを用いて音声データを処理する音声再生方法において、
前記受信手段で、既定のチャンネル数出力の音声データの音声パケットを取得し、
ダウンミックス情報受信手段でダウンミックス係数情報を取得し、
前記制御手段で前記音声パケットに対して前記ダウンミックス係数情報を用いてダウンミックス処理をするか否かを判断し、
前記音声処理手段では、前記制御手段が前記音声パケットに対してダウンミックス処理をすると判断した場合、前記音声パケットを前記ダウンミックス係数情報に基づいて、ダウンミックス処理を行い、
前記音声出力手段で前記ダウンミックス処理された音声データをスピーカ接続端子へ出力する、
ことを特徴とする音声再生方法。
【請求項９】
前記スピーカのチャンネル数と取得した前記音声パケットの既定のチャンネル数とが同じ場合、ダウンミックス処理をしないと判断し、前記スピーカのチャンネル数が取得した前記音声パケットの既定のチャンネル数より少ない場合、ダウンミックス処理をすると判断することを特徴とする請求項８記載の音声再生方法。
【請求項１０】
前記受信手段で、ＨＤＭＩで接続された外部機器からＨＤＭＩケーブルを介してＨＤＭＩパケットを受信し、
前記音声処理部で、前記ＨＤＭＩパケットで送られてきた既定のチャンネル数出力の音声データを含む音声パケットを処理し、
前記ダウンミックス情報受信手段では、前記ＨＤＭＩの拡張パケットから、又は、ＣＥＣラインから、又は、ＨＤＭＩとは異なる制御信号線からのいずれかより、ダウンミックス係数情報を取得する
ことを特徴とする請求項８記載の音声再生方法。
【請求項１１】
ダウンミック情報送信手段を制御し、前記ダウンミックス係数情報を外部に送信することを特徴とする請求項８記載の音声再生方法。
【発明の詳細な説明】
【技術分野】
【０００１】
この発明は、コンテンツに含まれる音声データを出力する音声再生装置に関する。
【背景技術】
【０００２】
現在、ＤＶＤに代表されるように映像や音声等のデータを記録する高密度光ディスクが普及している。このような光ディスクには、コンテンツプロバイダが本来意図する音声出力を得る音声情報が記録されている。したがって、音声信号が、例えば低音、高音等の５．１チャンネルで構成されている場合は、再生装置は、各チャンネルに対応した出力回路及びスピーカを備えることが望ましい。
【０００３】
しかしながら、現実には、音声再生増幅器、及びテレビジョン受像機などは、２チャンネルの出力回路及びスピーカを備えるものも多い。また５．１チャンネル対応の音声再生増幅器、及びテレビジョン受像機であっても、使用形態として、２チャンネル出力を選択するものもある。
【０００４】
このような事態に備えて、光ディスクには、本来５．１チャンネルで出力させる音声を２ｃｈで出力する場合、コンテンツプロバイダが意図した２チャンネルでの出力となるようにするダウンミックス係数情報が記録されている。
【０００５】
特許文献１には、高密度光ディスクにおいて、サラウンド制御信号を介してダウンミックス情報を伝送し、音声を再生する構成が開示されている。
【０００６】
また、特許文献２には、符号化された音声データを有するコンテンツ再生時に、出力機器側のデコード再生情報を基に再生条件を選択し、制御信号は、ＣＥＣ線を用いて伝送している。
【特許文献１】特開２００３−１８７５３１
【特許文献２】特開２００６−２９４１２０
【発明の開示】
【発明が解決しようとする課題】
【０００７】
しかしながら、特許文献１および特許文献２では、出力機器内部で、ダウンミックス係数情報とは無関係にスピーカのチャンネル数に対応するように変更している。そのため、コンテンツプロバイダが意図するダウンミックス係数情報を用いた音声とは異なった音声出力がなされるという問題があった。
【０００８】
この発明の目的は、光ディスクに記録されている音声データがダウンミックスされる場合、コンテンツプロバイダが意図している音声にできるだけ近づけることができるようにした音声再生装置及び方法を提供することにある。
【課題を解決するための手段】
【０００９】
この発明の一実施の形態に係る音声再生装置は、既定のチャンネル数出力の音声データの音声パケットを取得する受信手段と、ダウンミックス係数情報を取得するダウンミックス情報受信手段と、前記音声パケットに対して前記ダウンミックス係数情報を用いてダウンミックス処理をするか否かを判断する制御手段と、前記制御手段が前記音声パケットに対してダウンミックス処理をすると判断した場合、前記音声パケットを前記ダウンミックス係数情報に基づいて、ダウンミックス処理をする音声処理手段と、前記音声処理手段でダウンミックス処理された音声データをスピーカ接続端子へ出力する音声出力手段とを有する。
【発明の効果】
【００１０】
本発明により、光ディスクに記録されている多チャンネルの音声データがダウンミックスされたとき、コンテンツプロバイダが意図する音声にできるだけ近い状態で再生して出力することができる。例えば、マルチサラウンドと、マルチサラウンドを例えば２チャンネル出力に変換するためのダウンミックス係数が設定されている場合、マルチサラウンドに対応していない出力機器でも、ダウンミックス係数を用いてコンテンツプロバイダが意図する２チャンネルで出力することができる。また、ダウンミックス係数情報を機器間に負荷をかけることなく送受信することができる。
【発明を実施するための最良の形態】
【００１１】
以下、図面を参照して、この発明の種々な実施の形態に係る音声再生装置について説明する。図１は、この発明の音声再生装置が適用されたシステムの例を示すブロック図である。ここでは、再生装置１０と中継機器２０、受信機器３０が接続された例について説明する。再生装置１０、中継機器２０、受信機器３０は、例えばＨＤＣＰを採用したＨＤＭＩ（High Definition Multimedia Interface）規格対応のデータ伝送システムを採用している。
【００１２】
ここで、再生装置１０は、マルチチャンネル出力対応のＤＶＤ（Digital Video Disc）プレーヤ、中継機器２０は、マルチチャンネル出力対応のＡＶ（Audio Video）アンプ、受信機器３０は、２チャンネル出力のみ対応のＴＶとして説明する。図では、一例として再生装置１０、中継機器２０、受信機器３０が直列接続されて示されている。再生装置１０と中継機器２０のみが直接接続されても良く、再生装置１０と受信機器３０のみが直接接続されてもよい。
【００１３】
再生装置１０としては、例えば、ＤＶＤプレーヤ、デジタル放送チューナ、としてのセットトップボックス等である。再生装置１０は、データ入力部１０１、デコード部１０２、ＤＶＤ制御部１０３、ダウンミックス処理部１０４、ダウンミックス情報送信部１０５、ＨＤＭＩ送信部１０６を有している。ＤＶＤ制御部１０３は、ユーザによる指示を各部に実行させる。データ入力部１０１は、ＤＶＤ等の光ディスク１から映像および音声等のコンテンツ情報を取得する。そして、デコード部１０２は、データ入力部１０１が取得したコンテンツ情報をデコード処理する。ダウンミックス処理部１０４は、予めコンテンツの製作者（プロバイダ）が指定したダウンミックス係数情報を再生信号の中から取り出す。次に、ダウンミックス情報送信部１０５は、取り出したダウンミックス係数情報を、例えば拡張されたＨＤＭＩパケットに変換する。ＨＤＭＩ送信部１０６は、ＨＤＭＩパケットに格納したダウンミックス係数情報およびデコード部１０２でデコードしたコンテンツの映像データおよび音声データのコンテンツデータのパケットを中継機器２０に送信する。
【００１４】
ＨＤＭＩ送信部１０６によるコンテンツデータおよびダウンミックス係数情報の送信方法については、後に詳述する。
【００１５】
中継機器２０は、例えば、音声専用再生用として用いられるＡＶアンプ、あるいは録画再生装置等である。
【００１６】
中継機器２０は、ＨＤＭＩ受信部２０１、ダウンミックス情報受信部２０２、アンプ制御部２０３、ダウンミックス情報送信部２０４、ＨＤＭＩ送信部２０５、音声処理部２０６、音声出力部２０７を有している。
【００１７】
ＨＤＭＩ受信部２０１は、再生装置１０から送信されたコンテンツデータおよびダウンミックス係数情報を含むＨＤＭＩパケットを受信する。そして、ＨＤＭＩパケットから音声パケットを取得する。ここで、コンテンツデータに含まれる音声データは、例えば５．１チャンネル対応の音声出力とする。
【００１８】
ダウンミックス情報受信部２０２は、ＨＤＭＩパケットからダウンミックス係数情報を取り出す。このダウンミック係数情報は、アンプ制御部２０３において解読される。またこのアンプ制御部２０３は、外部からの切替信号に応じて中継機器２０の各部を制御し動作を実行させる。
【００１９】
ユーザは、中継機器２０に接続されている出力機器が２チャンネル出力であるヘッドホーン２または５．１チャンネルサラウンド出力であるスピーカ３に応じて、図示しない入力部やリモコンを用いて切替信号をアンプ制御部２０３に対して送信することができる。例えば、２チャンネル対応のヘッドホーン２が接続されている場合、アンプ制御部２０３は、音声処理部２０６に対して、音声パケットに含まれる例えば５．１チャンネル信号に対してダウンミックス係数を与え、２チャンネル出力に対応するようにダウンミックス処理させる。２チャンネル出力に切替える処理は、アンプ制御部２０３が、ヘッドホーン２が接続されたことを検出して、自動的に行なってもよい。このとき、音声出力部２０７は、中継機器２０に接続されたヘッドホーン２からダウンミックス処理された２チャンネル出力に対応した音声を出力する。
【００２０】
また、例えば、５．１チャンネル対応のスピーカ３が接続されている場合、アンプ制御部２０３は、音声処理部２０６に対して、ダウンミックス処理をさせることはなく、よって、音声出力部２０７は、中継機器２０に接続されたスピーカ３からダウンミックス処理せずに、５．１チャンネル出力に対応した音声を出力する。
【００２１】
上記のようにアンプ制御部２０３が、音声出力部２０７に接続されたヘッドホーン２またはスピーカ３からの識別情報あるいは接続状態を認識することで、２チャンネルで出力するのか５．１チャンネルで出力するのかを判断することができる。
【００２２】
さらにまた、スピーカが２チャンネル分しか接続されていなかった場合、ユーザは切替信号をアンプ制御部２０３に与えることもできる。すると、アンプ制御部２０３は、音声処理部２０６に対して、音声パケットに含まれる５．１チャンネル信号に対してダウンミックス係数を与え、２チャンネル出力に対応するようにダウンミックス処理させる。
【００２３】
ダウンミックス情報送信部２０４は、ダウンミックス係数情報をＨＤＭＩのパケットに格納するように処理することができる。ＨＤＭＩ送信部２０５は、ＨＤＭＩパケットとして変換したダウンミックス係数情報およびコンテンツの映像データおよび音声データのコンテンツデータを受信機器３０に送信する。
【００２４】
受信機器３０は、例えば、ディスプレイ、ＴＶ受信機、録画再生装置等である。受信機器３０は、ＨＤＭＩ受信部３０１、ダウンミックス情報受信部３０２、ＴＶ制御部３０３、映像出力部３０４、音声処理部３０５、音声出力部３０６を有している。
【００２５】
ＨＤＭＩ受信部３０１は、中継機器２０から送信されたコンテンツデータおよびダウンミックス係数情報を含むＨＤＭＩパケットを受信する。そして、ＨＤＭＩ受信部３０１は、ＨＤＭＩパケットから音声パケットおよび映像パケットを取得する。ダウンミックス情報受信部３０２は、ＨＤＭＩパケットからダウンミックス係数を取り出す。ＴＶ制御部３０３は、受信機器３０の各部を制御し動作を実行させる。
【００２６】
この例では、受信機器３０は、２チャンネル出力のみに対応しているため、ＴＶ制御部３０３は、音声処理部３０５に対して音声パケットおよびダウンミックス係数から２チャンネル出力に対応するようにダウンミックス処理させる。そして、音声出力部３０６は、受信機器３０に接続されたスピーカ４からダウンミックス処理された２チャンネル出力に対応した音声を出力する。映像出力部３０４は、ＨＤＭＩ受信部３０１が取得した映像パケットから映像信号を復号し、モニタ等の表示機器５に対して映像信号の出力処理をする。
【００２７】
次に、ＨＤＭＩ送信部１０６からＨＤＭＩ受信部２０１に対するコンテンツデータおよびダウンミックス係数情報の送信方法について図２を用いて説明する。
【００２８】
図２は、送信機器１０のＨＤＭＩ送信部１０６と、中継機器２０のＨＤＭＩ受信部２０１との情報の送受信を示している。ＨＤＭＩは、ＨＤＭＩ送信部１０６からＨＤＭＩ受信部２０１で構成されている。ＨＤＭＩ送信部１０６とＨＤＭＩ受信部２０１は、ＨＤＭＩケーブルで接続されている。トランスミッタ部１０６１は、音声データおよび映像データをＨＤＭＩパケットとしてレシーバ部２０１１に送信する。また、ＤＤＣラインは、制御信号を伝送している。ＤＤＣラインからの制御信号は、ＨＤＭＩ制御部（図示せず）に取り込まれて解析される。中継機器２０の機器を特定する固有情報を有するＥＤＩＤ  ＲＯＭ２０１２からはそのデータを送信機器１０に対してＤＤＣラインを介して送信する。
【００２９】
また、ＣＥＣ（Ｃｏｎｓｕｍｅｒ  Ｅｌｅｃｔｒｏｎｉｃｓ  Ｃｏｎｔｒｏｌ）送信部１０６２は、ＣＥＣ処理部２０１３に対してＣＥＣラインを介して、ＨＤＭＩ規格で接続された各機器の制御信号および制御プロトコルを双方向通信している。
【００３０】
上記説明したように、ＨＤＭＩ送信部１０６は、ダウンミックス係数情報を音声データおよび映像データと共にＨＤＭＩパケットを拡張して送信することができる。
【００３１】
また、ＨＤＭＩ送信部１０６は、音声データおよび映像データの送信とは別に、ＣＥＣラインを介してＣＥＣのパケットを拡張して、ダウンミックス係数情報を送信することができる。
【００３２】
さらに、ＨＤＭＩ送信部１０６は、ダウンミックス係数情報を音声データおよび映像データと共にＨＤＭＩパケットで送信するときに、映像データのブランキング期間を利用して送信することもできる。
【００３３】
図３はこの発明の他の実施の形態である。図３に示すように、送信機器１０のダウンミックス情報送信部１０５は、ＨＤＭＩパケットに変換した後に、ＤＶＤ制御部１０３によって制御されている送信バッファ１０７を介して中継機器２０の受信バッファ２０８にＨＤＭＩパケットを通信することができる。ここで、ＨＤＭＩパケットに変換するとしたが、このフォマットは限定されるものではない。ＨＤＭＩの信号線以外の信号線を設けることで、ＨＤＭＩの情報通信の負荷を軽減することが可能となる。
【００３４】
上記した中継器２０は、オーディオアンプとして利用された場合、有効な活用が可能である。ＨＤＭＩ送信及び受信部を有し、またダウンミックス情報の送信受信機能を持つ。このために、この中継器２０が終端機器となるのではなく、この中継機器２０にさらに次の受信機器３０などを接続できるからである。
【００３５】
この発明は上記の実施の形態に限定されるものではなく、アンプ制御部２０２、ＴＶ制御部３０３内にダウンミックス係数情報を処理用のソフトウエアを充実させて設けてもよい。
【００３６】
図４には、例えば中継機器２０における動作例を示している。ヘッドホーンが接続されているか否かが判定される（ステップＳＡ１）。ヘッドホーンが接続されていない場合にはスピーカ接続状態が５．１チャンネル出力対応となっているかどうかをチェックする（ステップＳＡ２）。スピーカ接続状態が５．１チャンネル接続状態であれば、ダウンミックス処理は実行せず、各チャンネルの音声出力を得る。
【００３７】
ステップＳＡ１でヘッドホーンが接続されていることが判定されたとき、及びステップＳＡ２でスピーカ接続状態が２チャンネルであることが判定されたときは、ダウンミックス処理を行って音声出力を得る（ステップＳＡ４）。
【００３８】
図５には、さらにユーザ操作による切替信号の判定処理を行うことができるフローチャートを示している。図４のフローチャートに対して、ステップＳＡ２とＳＡ３の間に、切替信号の内容を判断するステップＳＡ５が設けられる。切替信号が５．１チャンネル出力を設定しているときは、ステップＳＡ３に移行してダウンミックス処理は実行しない。しかし、切替信号が２チャンネル出力を設定しているときは、ステップＳＡ４に移行してダウンミックス処理を実行する。
【００３９】
なお、この発明は前述した実施の形態に限定されるものではなく、現在または将来の実施段階では、その時点で利用可能な技術に基づき、その要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００４０】
【図１】本発明の一実施形態に係る音声再生装置の構成を示すブロック図。
【図２】本発明の一実施形態に係る音声再生装置のＨＤＭＩの構成を示す図。
【図３】本発明の一実施形態に係る他の音声再生装置の構成を示すブロック図。
【図４】本発明の音声再生装置の動作例を説明するために示したフローチャート。
【図５】本発明の音声再生装置の他の動作例を説明するために示したフローチャートである。
【符号の説明】
【００４１】
１…光記憶媒体、１０…再生装置、２０…中継機器、３０…受信機器、１０１…データ入力部、１０２…デコード部、１０３…ＤＶＤ制御部、１０４…ダウンミックス処理部、１０５…ダウンミックス情報送信部、１０６…ＨＤＭＩ送信部、２０１…ＨＤＭＩ受信部、２０２…ダウンミックス情報受信部、２０３…アンプ制御部、２０４…ダウンミックス情報送信部、２０５…ＨＤＭＩ送信部、２０６…音声処理部、２０７…音声出力部、３０１…ＤＭＩ受信部、３０２…ダウンミックス情報受信部、３０３…ＴＶ制御部、３０４…映像出力部、３０５…音声処理部、３０６…音声出力部。
【図１】
2008252834.tif 000003
【図２】
2008252834.tif 000004
【図３】
2008252834.tif 000005
【図４】
2008252834.tif 000006
【図５】
2008252834.tif 000007